(57)【要約】【課題】  大画面化を達しつつも、持ち運びやすく使用しやすい構造を実現すると共に、高機能化を後押しすることが可能な携帯電子機器を提供する。【解決手段】  本発明による携帯電子機器１００は、ディスプレイ（タッチパネルディスプレイ１０８）を備える第１筐体１０２と、ディスプレイ（タッチパネルディスプレイ１１０）を備える第２筐体１０４と、ディスプレイ（タッチパネルディスプレイ１１２）を備える第３筐体１０６と、第１筐体１０２の長辺１０２ａと第２筐体１０４の長辺１０４ａとを回動可能に連結する第１ヒンジ１１４と、第２筐体１０４の長辺１０４ｂと第３筐体１０６の長辺１０６ａとを回動可能に連結する第２ヒンジ１１６とを有し、第１筐体１０２、第２筐体１０４、第３筐体１０６それぞれのディスプレイは第１ヒンジ１１４及び第２ヒンジ１１６を展開することで一面に並ぶことを特徴とする。【選択図】図３
2014068287.tif 000002
【特許請求の範囲】
【請求項１】
ディスプレイを備える第１筐体と、
ディスプレイを備える第２筐体と、
ディスプレイを備える第３筐体と、
前記第１筐体の長辺と第２筐体の長辺とを回動可能に連結する第１ヒンジと、
前記第２筐体の長辺と第３筐体の長辺とを回動可能に連結する第２ヒンジとを有し、
前記第１筐体、第２筐体、第３筐体それぞれのディスプレイは前記第１ヒンジ及び第２ヒンジを展開することで一面に並ぶことを特徴とする携帯電子機器。
【請求項２】
前記第１ヒンジは、第１筐体のディスプレイの反対側の面と第２筐体のディスプレイの反対側の面とが向かい合わせになるように折り畳まれ、
前記第２ヒンジは、第２筐体のディスプレイと第３筐体のディスプレイとが向かい合わせになるように折り畳まれることを特徴とする請求項１に記載の携帯電子機器。
【請求項３】
前記第３筐体はディスプレイの反対側にカメラモジュールを備えることを特徴とする請求項２に記載の携帯電子機器。
【請求項４】
前記第１筐体は、第１ヒンジの反対側の端面に第１スピーカを備え、
前記第３筐体は、第２ヒンジの反対側の端面に第２スピーカを備えることを特徴とする請求項１から３のいずれか１項に記載の携帯電子機器。
【請求項５】
前記第１筐体、第２筐体、第３筐体の少なくともいずれか１つは、内側に陥没した陥没部を有し、残りの２つの筐体が該陥没部に収納可能なことを特徴とする請求項１から４のいずれか１項に記載の携帯電子機器。
【請求項６】
前記第１筐体、第２筐体、第３筐体にはそれぞれＣＰＵ（Central Processing Unit）が実装されていて、個別にアプリケーションを実行可能であることを特徴とする請求項１から５のいずれか１項に記載の携帯電子機器。
【請求項７】
当該携帯電子機器の発熱素子が第１筐体に相対的に集中して配置されていることを特徴とする請求項１から６のいずれか１項に記載の携帯電子機器。
【発明の詳細な説明】
【技術分野】
【０００１】
本発明は、スマートフォン等の携帯電子機器に関する。
【背景技術】
【０００２】
情報化技術の発展に伴い、昨今、急速にスマートフォンが普及している。スマートフォンは現在さらなる高機能化が進んでおり、これに伴ってさらなる大画面化が望まれている。大画面化を実現するための手段としては、特許文献１に例示されるように２つの筐体を連接する技術が提案されている。
【先行技術文献】
【特許文献】
【０００３】
【特許文献１】特開２００８−８５７０５号公報
【発明の概要】
【発明が解決しようとする課題】
【０００４】
しかしながら、特許文献１の技術を適用しても、大画面化が充分でないことも考えられる。そのため、さらなる大画面化が可能な技術が求められる。
【０００５】
一方、ユーザの使い勝手を考えると、大画面化しても持ち運びやすく使用しやすい構造が望まれる。さらに高機能化は依然として望まれているため、これらを実現した構造が高機能化をより後押しするようなものであることも望まれる。
【０００６】
本発明は上記課題に鑑みてなされたものであり、大画面化を達しつつも、持ち運びやすく使用しやすい構造を実現すると共に、高機能化を後押しすることが可能な携帯電子機器を提供することを目的とする。
【課題を解決するための手段】
【０００７】
上記課題を解決するために本発明にかかる携帯電子機器の構成は、ディスプレイを備える第１筐体と、ディスプレイを備える第２筐体と、ディスプレイを備える第３筐体と、第１筐体の長辺と第２筐体の長辺とを回動可能に連結する第１ヒンジと、第２筐体の長辺と第３筐体の長辺とを回動可能に連結する第２ヒンジとを有し、第１筐体、第２筐体、第３筐体それぞれのディスプレイは第１ヒンジ及び第２ヒンジを展開することで一面に並ぶことを特徴とする。
【０００８】
第１ヒンジは、第１筐体のディスプレイの反対側の面と第２筐体のディスプレイの反対側の面とが向かい合わせになるように折り畳まれ、第２ヒンジは、第２筐体のディスプレイと第３筐体のディスプレイとが向かい合わせになるように折り畳まれるとよい。
【０００９】
第３筐体はディスプレイの反対側にカメラモジュールを備えるとよい。
【００１０】
第１筐体は、第１ヒンジの反対側の端面に第１スピーカを備え、第３筐体は、第２ヒンジの反対側の端面に第２スピーカを備えるとよい。
【００１１】
第１筐体、第２筐体、第３筐体の少なくともいずれか１つは、内側に陥没した陥没部を有し、残りの２つの筐体がこの陥没部に収納可能であるとよい。
【００１２】
第１筐体、第２筐体、第３筐体にはそれぞれＣＰＵ（Central Processing Unit）が実装されていて、個別にアプリケーションを実行可能であってもよい。
【００１３】
当該携帯電子機器の発熱素子が第１筐体に相対的に集中して配置されていてもよい。
【発明の効果】
【００１４】
本発明によれば、大画面化を達しつつも、持ち運びやすく使用しやすい構造を実現すると共に、高機能化を後押しすることが可能な携帯電子機器を提供することができる。
【図面の簡単な説明】
【００１５】
【図１】第１実施形態にかかる携帯電子機器の折畳状態を示す図である。
【図２】図１の携帯電子機器の折畳を解除した図である。
【図３】図１の携帯電子機器の展開状態を示す図である。
【図４】図１の携帯電子機器の概略構成を示すブロック図である。
【図５】図１の第１筐体、第２筐体、第３筐体それぞれに制御部を設ける場合の概略構成を示すブロック図である。
【図６】図１の携帯電子機器の折畳状態の待受画面および展開状態の待受画面を示す図である。
【図７】図１の携帯電子機器の展開状態における表示の切替を示す図である。
【図８】図１の携帯電子機器を使用したテレビ放送の視聴について説明する図である。
【図９】図１の携帯電子機器の文章入力を要するアプリケーション実行時の一使用態様を示す図である。
【図１０】図１の携帯電子機器の紙芝居アプリケーションについて説明する図である。
【図１１】図４のカメラモジュールの一使用態様を示す図である。
【図１２】第２実施形態にかかる携帯電子機器の折畳状態およびこれを解除した状態を示す図である。
【図１３】図１２の携帯電子機器の展開状態の正面図および背面図である。
【図１４】第３実施形態にかかる携帯電子機器の折畳状態および展開状態を示す図である。
【発明を実施するための形態】
【００１６】
以下に添付図面を参照しながら、本発明の好適な実施形態について詳細に説明する。かかる実施形態に示す寸法、材料、その他具体的な数値などは、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１７】
[第１実施形態]
（装置構成）
図１は、第１実施形態にかかる携帯電子機器１００の折畳状態を示す図である。図２は、携帯電子機器１００の折畳を解除した図である。図３は、携帯電子機器１００の展開状態を示す図である。
【００１８】
図１に示すように、携帯電子機器１００は、第１筐体１０２と、第２筐体１０４と、第３筐体１０６とを有する。図１に示す折畳状態では、携帯電子機器１００は、第１筐体１０２と、第２筐体１０４と、第３筐体１０６とが重ねられた状態となる。携帯電子機器１００は、図２に示すようにその折畳を解除し、図３に示すように展開状態にすることができる。
【００１９】
図３に示すように、携帯電子機器１００が折畳状態と展開状態とを取ることができるのは、第１ヒンジ１１４と第２ヒンジ１１６とを有するためである。第１ヒンジ１１４は、第１筐体１０２の長辺１０２ａと第２筐体１０４の長辺１０４ａとを回動可能に連結する。第２ヒンジ１１６は、第２筐体１０４の長辺１０４ｂと第３筐体１０６の長辺１０６ａとを回動可能に連結する。
【００２０】
第１ヒンジ１１４及び第２ヒンジ１１６は、少なくとも１８０°回動可能なものが選択される。すなわち、図２に示す展開角度α、βが１８０°を取り得るものが選択される。なお、第１ヒンジ１１４部分および第２ヒンジ１１６部分には、それぞれのタッチパネルディスプレイ１０８、１１０、１１２を接続する不図示のケーブルが備えられる。
【００２１】
図３に示すように、第１筐体１０２はタッチパネルディスプレイ１０８を備える。第２筐体１０４はタッチパネルディスプレイ１１０を備える。第３筐体１０６はタッチパネルディスプレイ１１２を備える。それぞれのタッチパネルディスプレイ１０８、１１０、１１２は、第１ヒンジ１１４及び第２ヒンジ１１６が展開されることで一面に並ぶ。
【００２２】
これより、携帯電子機器１００では、一面に並んだ３つのタッチパネルディスプレイ１０８、１１０、１１２を１つの画面として使用することができ、大画面化を図ることができる。また携帯電子機器１００は折畳状態を取ることが可能であり、持ち運びやすく使用しやすい構造にもなる。さらにこのような構造とすることで、後述するような機能を持たせることができ、高機能化をより後押しすることができる。
【００２３】
図２に示すように第１実施形態では、第１ヒンジ１１４は、タッチパネルディスプレイ１０８の反対側の第１筐体１０２の面１０２ｃとタッチパネルディスプレイ１１０の反対側の第２筐体１０４の面１０４ｃとが向かい合わせになるように折り畳まれる。第２ヒンジ１１６は、第２筐体１０４のタッチパネルディスプレイ１１０と第３筐体１０６のタッチパネルディスプレイ１１２とが向かい合わせになるように折り畳まれる。
【００２４】
このように屏風状の折り畳まれ方を採用することで、折畳操作性および展開操作性の向上を図ると共に、趣向性の向上を図ることができる。また、意匠の観点からも他の製品と差別化を図ることができ、優れたデザインを実現することができる。
【００２５】
なお第１実施形態ではタッチパネルディスプレイ１０８、１１０、１１２を備えているが、必ずしもこれを備える必要はなく、第１筐体１０２、第２筐体１０４、第３筐体１０６それぞれにタッチパネルディスプレイでないディスプレイを備えてもよい。
【００２６】
図３に示すように、第１筐体１０２は、第１ヒンジ１１４の反対側の端面１０２ｂに第１スピーカ１１８を備える。図１に示すように、第３筐体１０６は、第２ヒンジ１１６の反対側の端面１０６ｂに第２スピーカ１２０を備える。
【００２７】
屏風状の折り畳まれ方を採用していない従来の携帯電子機器では、その筐体の大きさにステレオ(stereo)スピーカ間の距離が依存することとなる。ステレオスピーカ間の距離が確保できない状況下でそれぞれのステレオスピーカから音が出力されても、良好なステレオ音響を実現することができない。一方、第１実施形態にかかる携帯電子機器１００によれば、第１スピーカ１１８と第２スピーカ１２０が展開状態において離間しその間に距離ができるため、第１スピーカ１１８と第２スピーカ１２０を使用して良好なステレオ音響を実現することができる。
【００２８】
携帯電子機器１００では、展開状態から第１筐体１０２及び第３筐体１０６をユーザに対して若干内向きに向けることで、第１スピーカ１１８及び第２スピーカ１２０がユーザのいる方向に音が出力されるため、さらに良好なステレオ音響を実現することができる。なお携帯電子機器１００では、折畳状態においても第１スピーカ１１８と第２スピーカ１２０はなるべく離れた位置に配置されることとなるので、ステレオ音響の効果が低減してしまうことを抑制することができる。
【００２９】
図４は、携帯電子機器１００の概略構成を示すブロック図である。図４に示すように、携帯電子機器１００は、中央処理装置（ＣＰＵ：Central Processing Unit）を含んで構成される制御部１２２と、ＲＯＭやＲＡＭ、フラッシュメモリ等を含んで構成される記憶部１２４とを有する。制御部１２２は、記憶部１２４に記憶されたプログラムを実行し、当該携帯電子機器１００を制御、管理する。記憶部１２４は、プログラムや各種データ等を記憶する。
【００３０】
携帯電子機器１００は、ＬＴＥやＣＤＭＡ、ＷｉＭＡＸ[登録商標（Worldwide Interoperability for Microwave Access）]等の所定の無線通信方式を通じて基地局１２６との無線通信を確立し、通信相手との音声通信（通話）やＷｅｂサーバとのデータ通信を実行する無線通信部１２８を有する。また携帯電子機器１００は、放送局１３０、１３２からの地上デジタルテレビジョン放送を受信して、テレビ番組を視聴可能にする放送受信部１３４を有する。第１実施形態では、放送受信部１３４は、２つの同調回路１３６、１３８を備える。
【００３１】
携帯電子機器１００は、上述した第１スピーカ１１８及び第２スピーカ１２０を含んで構成される音声出力部１４０を有する。音声出力部１４０は楽曲等の音を出力したり、着信音や操作音、警告音、アラーム音を出力したりする。また、音声出力部１４０は、受信した音声通信相手の音声信号を音声に変えて出力するスピーカも含む。
【００３２】
携帯電子機器１００は、マイク等の音声認識手段で構成される音声入力部１４２を有する。音声入力部１４２は、音声通信時に入力されたユーザの音声を携帯電子機器１００内で処理可能な電気信号に変換する。
【００３３】
携帯電子機器１００は、カメラモジュール１４４を有する。カメラモジュール１４４は、レンズや撮像素子等で構成される。
【００３４】
携帯電子機器１００は、第１ヒンジ１１４の展開角度α（図２参照）を検出する第１角度センサ１４６を有する。第１角度センサ１４６は、第１ヒンジ１１４部分に内蔵されるロータリタイプの小型スイッチ等で構成される。
【００３５】
携帯電子機器１００は、第２ヒンジ１１６の展開角度β（図２参照）を検出する第２角度センサ１４８を有する。第２角度センサ１４８は、第２ヒンジ１１６部分に内蔵されるロータリタイプの小型スイッチ等で構成される。
【００３６】
携帯電子機器１００は、加速度を検知することでその姿勢を検知する加速度センサ１５０を有する。また、携帯電子機器１００は、当該電子機器に電力を供給するバッテリ１５２を有する。
【００３７】
図５は、第１筐体１０２、第２筐体１０４、第３筐体１０６それぞれに制御部１２２ａ、１２２ｂ、１２２ｃを設ける場合の概略構成を示すブロック図である。図５に示すように、第１筐体１０２、第２筐体１０４、第３筐体１０６それぞれにＣＰＵ（Central Processing Unit）を含んで構成される制御部１２２ａ、１２２ｂ、１２２ｃを設けてもよい。これにより、携帯電子機器１００の処理能力を向上することができる。
【００３８】
また第１筐体１０２、第２筐体１０４、第３筐体１０６それぞれに、さらに、ＲＯＭやＲＡＭ、フラッシュメモリ等を含んで構成される記憶部１２４ａ、１２４ｂ、１２４ｃを設けてもよい。これにより、各筐体の独立性を高めることができる。このようにすることで、各筐体ごとに１つの携帯電子機器として振舞うことが可能となるため、各筐体で個別にアプリケーション等の処理を完了することができる。
【００３９】
図５に示すように、携帯電子機器１００の発熱素子が第１筐体１０２に相対的に集中して配置されていてもよい。これにより、ユーザが折畳状態の携帯電子機器１００を手に乗せて使用する際に手に接触する第３筐体１０６の発熱を相対的に低く抑えることができるため、発熱による不快感を与えないようにすることができる。
【００４０】
（装置機能）
第１実施形態では、第１角度センサ１４６及び第２角度センサ１４８の検出結果に基いて制御部１２２が当該携帯電子機器１００の形状を判断する。すなわち、制御部１２２は、携帯電子機器１００が折畳状態か、折畳が解除され折畳状態と展開状態の中間の状態か、展開状態かを判断することができる。なお、第１角度センサ１４６及び第２角度センサ１４８に換えて、磁気センサや近接センサを使用して、折畳状態か展開状態かを判断するようにしてもよい。
【００４１】
制御部１２２は、図１に示すように第１ヒンジ１１４及び第２ヒンジ１１６が折り畳まれた折畳状態になると、折りたたみの内側に位置するタッチパネルディスプレイ１１０、１１２をオフにする制御を行う。これにより、折畳状態では、視認可能なタッチパネルディスプレイ１０８のみがオンし、視認不能なタッチパネルディスプレイ１１０、１１２がオフされることとなるため、消費電力を抑制することができる。
【００４２】
制御部１２２は、図２に示すように第１ヒンジ１１４及び第２ヒンジ１１６の折畳が解除されると、オフされていたタッチパネルディスプレイ１１０、１１２をオンにする制御を行う。これにより、オフされていたタッチパネルディスプレイ１１０、１１２は視認可能になると自動的にオンされるため、使い勝手を向上することができる。
【００４３】
なお、第１ヒンジ１１４及び第２ヒンジ１１６は、折畳状態、展開状態に加え、これらの中間の状態を保持できるもの（簡易ロック機構を有するもの）を使用するとよい。
【００４４】
図６は、携帯電子機器１００の折畳状態の待受画面および展開状態の待受画面を示す図である。図６（ａ）が折畳状態の待受画面を示す図であり、図６（ｂ）が展開状態の待受画面を示す図である。図６（ａ）（ｂ）に示すように、制御部１２２は、折畳状態と展開状態とで待受画面を異ならせる。
【００４５】
第１実施形態では、制御部１２２は、折畳状態において待受画面に表示されるアプリケーション起動用のアイコン１５４（図中代表して１つに符号を付す）の数を、展開状態において待受画面に表示されるアイコン１５４の数よりも少なくする。動画視聴やゲーム等は大画面下で実行される可能性が高く、このようなアプリケーションのアイコン１５４を折畳状態において表示しても煩雑になるおそれがあるためである。したがって、かかる構成により、使い勝手の向上を図ることができる。
【００４６】
なお、制御部１２２は、アイコン１５４の数だけでなく、折畳状態においては一部の機能の実行そのものを制限し、展開状態においてこの一部の機能の実行を可能としてもよい。このように折畳状態と展開状態とで機能差を持たせることで、折畳状態における表示や入力操作等が煩雑になることを回避し、使い勝手の向上を図ることができる。また、展開状態でしか一部の機能を実行できないようにすることで、折畳状態においてその機能をいわばシークレット機能のように隠すことができ、趣向性を高めることができる。
【００４７】
図７は、携帯電子機器１００の展開状態における表示の切替を示す図である。図７（ａ）が３つのタッチパネルディスプレイ１０８、１１０、１１２それぞれに別々の表示を行わせた状態を示す図であり、図７（ｂ）が３つのタッチパネルディスプレイ１０８、１１０、１１２それぞれに一体的な表示を行わせた状態を示す図である。
【００４８】
図７（ａ）に示すように、制御部１２２は、異なる３つのアプリケーションを３つのタッチパネルディスプレイ１０８、１１０、１１２にそれぞれ表示させることができる。また図７（ｂ）に示すように、制御部１２２は、１つのアプリケーションを３つのタッチパネルディスプレイ１０８、１１０、１１２を使って大きく表示することもできる。制御部１２２は、タッチパネルディスプレイ１０８、１１０、１１２への特定の入力操作に応じて、３つのタッチパネルディスプレイ１０８、１１０、１１２に別々の表示を行わせるか、一体的な表示を行わせるかを切り替える。
【００４９】
特定の入力操作とは、タッチ長押し、フリック等である。ここでは図７（ａ）に示す「テレビ番組」の画面すなわちタッチパネルディスプレイ１１２をタッチ長押しすることで、図７（ｂ）に示すように３つのタッチパネルディスプレイ１０８、１１０、１１２に「テレビ番組」の画面が一体的に表示される。なお、制御部１２２は、加速度センサ１５０が検出する姿勢に基いて、縦表示、横表示を切替可能であるとよい。
【００５０】
異なる３つのアプリケーションを３つのタッチパネルディスプレイ１０８、１１０、１１２にそれぞれ表示させていた状況下で一体的な表示への切替を行うと、大きく表示されないアプリケーションは実行状態のままとなる。したがって、フリックまたは画面上のランチャーをタッチすることでそのアプリケーションを表示させることができるようにするとよい。なお、当然ながら裏でアプリケーションを実行状態とせず、終了させるようにしてもよい。
【００５１】
異なる３つのアプリケーションを３つのタッチパネルディスプレイ１０８、１１０、１１２にそれぞれ表示させていた状況下で、携帯電子機器１００が折り畳まれ、折りたたみの内側に位置するタッチパネルディスプレイ１１０、１１２がオフされた場合も同様である。したがって、このような場合についても、フリックまたは画面上のランチャーをタッチすることで、裏で実行されているアプリケーションを表示させることができるようにするとよい。
【００５２】
図８は、携帯電子機器１００を使用したテレビ放送の視聴について説明する図である。図８（ａ）が別々のテレビ放送を同時に視聴する場合について例示する図であり、図８（ｂ）が１つのテレビ放送を３つのタッチパネルディスプレイ１０８、１１０、１１２を用いて視聴する一態様について例示する図である。
【００５３】
図８（ａ）に示すように、携帯電子機器１００は２つの同調回路１３６、１３８を備える放送受信部１３４を有するため、別々のテレビ放送を同時に視聴することが可能である。ここでは、制御部１２２が、第１筐体１０２のタッチパネルディスプレイ１０８、第３筐体１０６のタッチパネルディスプレイ１１２に別々のテレビ放送をそれぞれ表示させている。このように２つの同調回路１３６、１３８（マルチチューナ）で別々のテレビ放送を視聴可能とすることで、さらなる高機能化を図ることができる。
【００５４】
図８（ｂ）に示すように、制御部１２２は、１つのタッチパネルディスプレイ１１２に「テレビ番組」の画面を表示させ、残りのタッチパネルディスプレイ１０８、１１０にそれぞれアプリケーションの操作画面と「データ放送」の情報画面とを表示させるようにしてもよい。これにより、見易く使用しやすい構成を実現することができる。
【００５５】
なおテレビ放送の視聴に限らず、制御部１２２は、１または２のタッチパネルディスプレイ１０８、１１０、１１２にアプリケーションの動作画面を表示させ、残りのタッチパネルディスプレイ１０８、１１０、１１２にアプリケーションの操作画面または情報画面（ｊｐｅｇ画像のＥＸＩＦ（メタデータ）、楽曲再生時の歌詞のような付随情報）を表示させるような態様を取るとよい。これにより、見易く使用しやすい構成を実現することができる。
【００５６】
図９は、携帯電子機器１００の文章入力を要するアプリケーション実行時の一使用態様を示す図である。図９に示すように、文章入力を要するアプリケーション実行時に、制御部１２２は、１または２のタッチパネルディスプレイ１０８、１１０、１１２にアプリケーションの動作画面（メールの文章入力画面等）を表示させ、残りのタッチパネルディスプレイ１０８、１１０、１１２にアプリケーションに対して操作および入力するためのキーボード１５６並びにポインティングデバイス１５８を表示させるとよい。
【００５７】
ここでは、タッチパネルディスプレイ１１２にメールの文章入力画面が、タッチパネルディスプレイ１１０にキーボード１５６が、タッチパネルディスプレイ１０８にポインティングデバイス１５８が表示される。このような態様を取ることで、ノートパソコンのように入力操作を行うことができる。したがって、慣れ親しんだ手法での入力操作を可能にし、入力操作を容易化することができる。
【００５８】
図１０は、携帯電子機器１００の紙芝居アプリケーションについて説明する図である。図１０（ａ）は紙芝居アプリケーション実行時を例示する図であり、図１０（ｂ）は図１０（ａ）のＸ矢視図である。
【００５９】
第１実施形態では、記憶部１２４は、当該携帯電子機器１００の所定の形状をアプリケーションと関連付けて記憶している。そして、制御部１２２は、第１角度センサ１４６及び第２角度センサ１４８の検出結果に基いて判断した当該携帯電子機器１００の形状が記憶部１２４に記憶された形状と合致するとき、その形状に関連付けられているアプリケーションを実行する。
【００６０】
ここでは記憶部１２４は、所定の形状として、第１筐体１０２及び第３筐体１０６それぞれのタッチパネルディスプレイ１０８、１１２が外側に位置し、第１筐体１０２及び第３筐体１０６それぞれが第２筐体１０４と略垂直に交わる略「コ」字状の形状（図１０（ａ）に示す形状）を紙芝居アプリケーションと関連付けて記憶している。そのため、図１０（ａ）に示す形状を携帯電子機器１００が取ると、自動的に紙芝居アプリケーションが起動される。
【００６１】
紙芝居アプリケーションは、図１０（ｂ）に示すように、聞き手のユーザへ閲覧させる画面を第１筐体１０２のタッチパネルディスプレイ１０８に表示させる。また図１０（ａ）に示すように、読み手のユーザが読み上げるべき文字が記載されている画面を第３筐体１０６のタッチパネルディスプレイ１１２に表示させる。
【００６２】
このように携帯電子機器１００によれば、第１ヒンジ１１４、第２ヒンジ１１６によって連結される第１筐体１０２、第２筐体１０４、第３筐体１０６の形状に基いてアプリケーションを起動することができる。また携帯電子機器１００によれば、紙芝居アプリケーション等の従来の携帯電子機器では端末構造上実行することができないアプリケーションについても実行することができる。したがって、さらなる高機能化を実現することができる。
【００６３】
なお、記憶部１２４が所定の形状として、１つのヒンジが展開され残り１つのヒンジが中間状態にある図９に示す形状を記憶し、携帯電子機器１００がこの形状を取ると何らかの文章入力アプリケーション（ワープロアプリケーション、メールアプリケーション等）を図９に示す態様で起動するようにしてもよい。
【００６４】
図１１は、図４のカメラモジュール１４４の一使用態様を示す図である。図１１に示すように、第１実施形態では、第３筐体１０６のタッチパネルディスプレイ１１２の反対側にカメラモジュール１４４が備えられる。かかるカメラモジュール１４４は、折畳状態において、いわゆるアウトカメラとして使用することができる。一方、図１１に示すように第１ヒンジ１１４（図２等参照）を略１８０°展開することで、かかるカメラモジュール１４４をいわゆるインカメラとして使用することができる。
【００６５】
カメラモジュール１４４をインカメラとして使用する場合、第１筐体１０２のタッチパネルディスプレイ１０８を視認することができるため、カメラモジュール１４４に映る画像をタッチパネルディスプレイ１０８に表示し確認しながら、ユーザ自身を撮像することができる。また、カメラモジュール１４４をユーザに向けつつチャット、ＶｏＩＰ、テレビ電話等を行うこともできる。したがって、携帯電子機器１００によれば、１つのカメラモジュール１４４をインカメラ、アウトカメラとして使用することができ、かつ、カメラ機能の使い勝手も向上することができる。
【００６６】
[第２実施形態]
（装置構成）
図１２は、第２実施形態にかかる携帯電子機器２００の折畳状態およびこれを解除した状態を示す図である。図１２（ａ）が折畳状態を示す図であり、図１２（ｂ）がこれを解除した状態を示す図である。図１３は、携帯電子機器２００の展開状態の正面図および背面図である。図１３（ａ）が展開状態の正面図であり、図１３（ｂ）が展開状態の背面図である。
【００６７】
第２実施形態にかかる携帯電子機器２００の第１実施形態との違いは、第１筐体２０２、第２筐体２０４、第３筐体２０６、第１筐体２０２に設けられた陥没部２０８、スライドボタン２１０、ラッチ２１２である。その他の構成は第１実施形態と同様であるため説明を省略する。また「装置機能」についても第１実施形態と同様であるため説明を省略する。
【００６８】
図１２（ａ）に示すように、携帯電子機器２００では、折畳状態において、第２筐体２０４及び第３筐体２０６は第１筐体２０２に収納されている。第２筐体２０４及び第３筐体２０６は、屏風状に折り畳まれている。第１筐体２０２の端面２０２ｂに設けられたスライドボタン２１０をスライドさせることで、図１２（ｂ）に示すように、第２筐体２０４及び第３筐体２０６の収納が解除される。
【００６９】
図１３（ａ）に示すように、携帯電子機器２００は、第１ヒンジ１１４及び第２ヒンジ１１６を展開することで展開状態となる。図１３（ｂ）に示すように、第１筐体２０２は内側に陥没した陥没部２０８を有し、かかる陥没部２０８に第２筐体２０４及び第３筐体２０６が収納される。第２筐体２０４及び第３筐体２０６は第１筐体２０２よりも大きさが小さめに設定され、折畳状態において第３筐体２０６の端面２０６ｂがラッチ２１２に係止され第１筐体２０２に収納される。
【００７０】
これより、携帯電子機器２００によれば、意図していない折畳状態の解除を防止することができ、意匠の観点からも優れたデザインを実現することができる。また、第１筐体２０２に第２筐体２０４及び第３筐体２０６が収納されるため、薄型化にも資するものとなる。なお、第２実施形態の例に限らず、第１筐体２０２の一部を陥没させた他の収納構造を採用してもよいし、第２筐体２０４に第３筐体２０６が収納されるようにしてもよい。
【００７１】
[第３実施形態]
（装置構成）
図１４は、第３実施形態にかかる携帯電子機器３００の折畳状態および展開状態を示す図である。図１４（ａ）が展開状態を示す図であり、図１４（ｂ）が折畳状態を示す図である。第３実施形態にかかる携帯電子機器３００の第１実施形態との違いは、第１筐体３０２、第３筐体３０６、電子ペーパ３０８、３１２、第１ヒンジ３１４、第２ヒンジ３１６である。その他の構成は第１実施形態と同様であるため説明を省略する。また「装置機能」についても第１実施形態と同様であるため説明を省略する。
【００７２】
図１４（ａ）に示すように、携帯電子機器３００では、第１実施形態のタッチパネルディスプレイ１０８、１１２に換えて、電子ペーパ３０８、３１２を採用している。このように電子ペーパ３０８、３１２を使用することで、第１筐体３０２及び第３筐体３０６の薄型化を図ることができる。
【００７３】
図１４（ｂ）に示すように、第１ヒンジ３１４は、第１筐体３０２の電子ペーパ３０８と第２筐体１０４のタッチパネルディスプレイ１１０とが向かい合わせになるように折り畳まれる。第１筐体３０２は折り畳まれた際に第２ヒンジ３１６と干渉しないように、第２筐体１０４よりも若干小さめに形成される。第２ヒンジ３１６は、電子ペーパ３０８の反対側の第１筐体３０２の面と第３筐体３０６の電子ペーパ３１２とが向かい合わせになるように折り畳まれる。折畳状態においての携帯電子機器３００の使用が想定されない場合、このような折り畳まれ方も有効である。
【００７４】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００７５】
本発明は、スマートフォン等の携帯電子機器に利用可能である。
【符号の説明】
【００７６】
１００、２００、３００…携帯電子機器、１０２、２０２、３０２…第１筐体、１０２ａ…長辺、１０２ｂ、２０２ｂ…端面、１０２ｃ…反対側の面、１０４、２０４…第２筐体、１０４ａ、１０４ｂ…長辺、１０４ｃ…反対側の面、１０６、２０６、３０６…第３筐体、１０６ａ…長辺、１０６ｂ、２０６ｂ…端面、１０８、１１０、１１２…タッチパネルディスプレイ、１１４、３１４…第１ヒンジ、１１６、３１６…第２ヒンジ、１１８…第１スピーカ、１２０…第２スピーカ、１２２、１２２ａ、１２２ｂ、１２２ｃ…制御部、１２４、１２４ａ、１２４ｂ、１２４ｃ…記憶部、１２６…基地局、１２８…無線通信部、１３０、１３２…放送局、１３４…放送受信部、１３６、１３８…同調回路、１４０…音声出力部、１４２…音声入力部、１４４…カメラモジュール、１４６…第１角度センサ、１４８…第２角度センサ、１５０…加速度センサ、１５２…バッテリ、１５４…アイコン、１５６…キーボード、１５８…ポインティングデバイス、２０８…陥没部、２１０…スライドボタン、２１２…ラッチ、３０８、３１２…電子ペーパ、３１４…第１ヒンジ、３１６…第２ヒンジ
【図１】
2014068287.tif 000003
【図２】
2014068287.tif 000004
【図３】
2014068287.tif 000005
【図４】
2014068287.tif 000006
【図５】
2014068287.tif 000007
【図６】
2014068287.tif 000008
【図７】
2014068287.tif 000009
【図８】
2014068287.tif 000010
【図９】
2014068287.tif 000011
【図１０】
2014068287.tif 000012
【図１１】
2014068287.tif 000013
【図１２】
2014068287.tif 000014
【図１３】
2014068287.tif 000015
【図１４】
2014068287.tif 000016